(57)【要約】【課題】装飾性を低下させることなく、外部からの接触による傷や剥がれ等への耐性を向上させ、製造工程の簡素化と低コスト化を実現する装飾体を提供する。【解決手段】装飾体１は、透明材料からなる基材１０の裏面１ｂ側に、表面１ａ側から視認できる着色層１１、１２、１３、１４が形成されている。着色層１１、１２、１３、１４は、転写シートにスクリーン印刷あるいはオフセット印刷によりインクを（グラビア印刷よりも）厚く印刷した後に基材１０に熱転写されることで形成される。着色層１１、１２、１３、１４の膜厚が厚いことにより、磨耗や剥がれ等に対する着色層の耐性の向上が達成される。【選択図】図１
2011016298.tif 000002
【特許請求の範囲】
【請求項１】
物品における一部の部位に固定される基材と、
その基材の外面に形成された着色層と、を備え、
その着色層は、インクが印刷された転写シートから、そのインクが熱転写により前記基材の外面に転写されることで形成され、
前記転写シートへのインクの印刷は、スクリーン印刷、オフセット印刷のうちのいずれかによって、インクの膜厚がグラビア印刷で可能な膜厚以上となるべく印刷されたことを特徴とする装飾体。
【請求項２】
前記基材は透明材料により形成され、
前記着色層は、前記基材における前記物品と当接しない側の面である表面の側から前記透明材料を透過して視認されるように、前記物品に当接する側の面である裏面に形成され、
前記基材上に形成された着色層の上に、その着色層を保護する保護層は形成されない請求項１に記載の装飾体。
【請求項３】
前記転写シートに印刷されたインクは複数色であり、
前記着色層は、前記インクが印刷された可撓性を有する平板の転写シートから、熱転写により、前記転写シートが撓みながら前記基材の外面へ押し付けられて前記外面の形状へ変形しつつ前記インクが前記外面に転写されることで形成された請求項１又は２に記載の装飾体。
【請求項４】
前記転写シートに印刷されたインクの膜厚は５μｍ以上である請求項１乃至３のいずれか１項に記載の装飾体。
【発明の詳細な説明】
【技術分野】
【０００１】
本発明は、装飾体に関する。
【背景技術】
【０００２】
例えば自動車の車体等の各種製品は、マークやメダリオン等の装飾体をその表面に装着、固定して装飾性を向上することが多い。下記特許文献１では、多色化と製造工程の簡素化を実現した装飾体の例が開示されている。
【先行技術文献】
【特許文献】
【０００３】
【特許文献１】特開平５−２００９６４号公報
【発明の概要】
【発明が解決しようとする課題】
【０００４】
しかし上記文献の装飾体では美観向上が課題とされており、したがって装飾体への外部からの接触による傷や剥がれ等への耐性の問題にはそれほど注意が払われていない。例えば着色層の膜厚を厚くすれば上記耐性を向上させることが可能である。
【０００５】
周知のとおり印刷には種々の方法があるが、例えばグラビア印刷ならばインクの膜厚を１μｍ程度にまでしか厚くできない。これに対してスクリーン印刷やオフセット印刷ではインクの膜厚を５μｍ程度以上にできることが知られている。しかし装飾体の表面は通常平坦とは限らず多様な曲面を含み、例えば曲面上にスクリーン印刷を施す場合には、曲面の接平面近傍の部位にしかインクが付着しない。
【０００６】
したがってインクの膜厚を厚くしようとすると、印刷工程の増加、不良確率の増加や高コスト化等の影響が避けにくい。よって着色層の膜厚を厚くする場合に、こうした問題の解決を考慮しなければならないが、上記文献１を含めた従来技術では、装飾体の製造においてこの問題を解決することは課題として認識されていない。
【０００７】
また文献１の装飾体では、基材の上に着色層や保護層を含めた４層構造が形成されており、必ずしも簡素な構造ではなく、さらなる簡素化が可能かもしれない。例えば着色層の膜厚を大きくすれば軽度の接触程度ではインクが剥がれる可能性は低いので保護層の形成が不要にできる可能性がある。
【０００８】
さらに装飾体には、透明な装飾体の裏面に着色を施して表面側から視認できるようにしたタイプのものがあるが、このタイプにおいては、装飾体の各種製品への装着後は着色部分に接触する可能性は事実上ないので、保護層の必要性はさらに低減する。こうした点も従来文献では考慮されていない。
【０００９】
そこで本発明が解決しようとする課題は、上記問題点に鑑み、装飾性を低下させることなく、外部からの接触による傷や剥がれ等への耐性を向上させ、製造工程の簡素化と低コスト化を実現する装飾体を提供することにある。
【課題を解決するための手段及び発明の効果】
【００１０】
上記課題を達成するために、本発明に係る装飾体は、物品における一部の部位に固定される基材と、その基材の外面に形成された着色層と、を備え、その着色層は、インクが印刷された転写シートから、そのインクが熱転写により前記基材の外面に転写されることで形成され、前記転写シートへのインクの印刷は、スクリーン印刷、オフセット印刷のうちのいずれかによって、インクの膜厚がグラビア印刷で可能な膜厚以上となるべく印刷されたことを特徴とする。
【００１１】
これにより本発明の装飾体では、基材上に形成された着色層は、スクリーン印刷あるいはオフセット印刷によりグラビア印刷よりも膜厚が厚く印刷された転写シートからの熱転写で形成されるとされた。これにより、グラビア印刷などの場合にはインクの膜厚が薄いので軽度の接触で着色層に傷がつき装飾性が損なわれる場合があるのに対して、本発明ではスクリーン印刷あるいはオフセット印刷と熱転写との組合せを採用することによって厚い膜厚を実現した。したがって高い装飾性を維持しつつ、外部からの接触による傷や剥がれ等への耐性を向上させる装飾体が実現できる。さらに平板の転写シートへの印刷を用いるので、印刷工程において基材の外面が曲面を有するか否かが関係なくなり、同色の場合は印刷部位を分ける必要がなく、印刷の多数個取りも可能となり、低コスト化が実現できる。
【００１２】
また前記基材は透明材料により形成され、前記着色層は、前記基材における前記物品と当接しない面である表面の側から前記透明材料を透過して視認されるように、前記物品に当接する側の面である裏面に形成され、前記基材上に形成された着色層の上に、その着色層を保護する保護層は形成されないとしてもよい。
【００１３】
これにより、透明材料からなる基材の裏面に形成する着色層は、スクリーン印刷あるいはオフセット印刷によりグラビア印刷よりも膜厚が厚く印刷された転写シートからの熱転写で形成され、その着色層のうえに保護層は形成されないとされた。これにより本発明ではスクリーン印刷、オフセット印刷と熱転写との組合せを採用することによって厚い膜厚を実現し、さらに裏面に転写するので、保護層なしでも装飾性の維持が可能となった。したがって高い装飾性を維持しつつ、製造工程の簡素化と低コスト化を達成する装飾体が実現できる。
【００１４】
また前記転写シートに印刷されたインクは複数色であり、前記着色層は、前記インクが印刷された可撓性を有する平板の転写シートから、熱転写により、前記転写シートが撓みながら前記基材の外面へ押し付けられて前記外面の形状へ変形しつつ前記インクが前記外面に転写されることで形成されたとしてもよい。
【００１５】
これにより複数色の図柄であっても、スクリーン印刷あるいはオフセット印刷によって転写シートに複数色で印刷を行って、その後基材に熱転写するので、本発明により、複数色の図柄でもインクの膜厚を厚くする手法によって高い装飾性を維持しつつ、高い耐性や、製造工程の簡素化、低コスト化を達成する装飾体が実現できる。さらに転写シートに可撓性を持たせることにより、基材の裏面が曲面形状の場合でも、高精度での熱転写が可能である。
【００１６】
また前記転写シートに印刷されたインクの膜厚は５μｍ以上であるとしてもよい。
【００１７】
これにより具体的に転写シートにインクの膜厚を５μｍ以上として印刷して、その後基材に熱転写するので、５μｍ以上の充分な膜厚によって、接触による傷や剥がれ等への耐性を確実に向上する。したがって高い装飾性を維持しつつ、高い耐性や、製造工程の簡素化、低コスト化を達成する装飾体が実現できる。
【図面の簡単な説明】
【００１８】
【図１】本発明の実施例１の装飾体を示す図。
【図２】実施例１の転写シートを示す図。
【図３】実施例１の熱転写を説明する図。
【図４】実施例１の装飾体の製造手順を示すフローチャート。
【図５】実施例２の装飾体を示す図。
【図６】実施例２の転写シートを示す図。
【図７】実施例２の熱転写を説明する図。
【図８】実施例２の装飾体の製造手順を示すフローチャート。
【図９】実施例２の装飾体の別の製造手順を示すフローチャート。
【発明を実施するための形態】
【００１９】
以下、本発明の実施例１を図面を参照しつつ説明する。図１は、実施例１における装飾体１の例を示す図である。図１（ａ）が装飾体１の正面図、図１（ｂ）は（ａ）のＸ−Ｘ断面図である。
【００２０】
この図に示されているように、装飾体１は、表面側に湾曲、膨出した楕円板形状の基材１０を備える。基材１０の外面は、表面１ａ、裏面１ｂの２つの主表面を含む。基材１０の裏面１ｂには着色層１１、１２、１３、１４（あるいは着色領域）により図柄が形成されており、それ以外の部分は非着色領域１５である。
【００２１】
着色層１１、１２、１３、１４は基材１０の表面に形成されたインク（塗料）の層（あるいは膜）である。図１の装飾体１では、着色層１１、１２、１３は同一の凹曲面を形成している。そして非着色領域１５は、着色領域１１、１２、１３、１４よりもさらに陥入した凹部となっている。
【００２２】
基材１０の材質は透明材料とすればよい。材質はより具体的には透明樹脂製として、例えばポリメタクリル酸メチル（ＰＭＭＡ）、ポリカーボネート（ＰＣ）、ポリスチレン（ＰＳ）、アクリロニトリルスチレン共重合体(ＡＳ)、ポリエチレンテレフタレート（ＰＥＴ）、アクリロニトリルブタジエンスチレン共重合体（ＡＢＳ）等とすればよい。あるいはガラス製でもよい。また基材１０は無色透明でも有色透明でもよい。基材１０が透明であることにより、図１（ａ）に示されているように、表面１ａ側から見たときに裏面１ｂ側に形成された着色層１１、１２、１３、１４が視認される。
【００２３】
装飾体１の着色層１１、１２、１３、１４は熱転写により形成される。それに用いられる転写シート２が図２に示されている。図２（ａ）は転写シート２の斜視図、図２（ｂ）はそのＹ−Ｙ断面図である。転写シート２は、平板のシート（あるいはフィルム）２０上に着色層２１が、さらにその上に接着剤層２２（あるいは粘着材層）が形成されている。
【００２４】
着色層２１、及び接着剤層２２は、図１における着色層１１、１２、１３、１４と同一形状に形成されている。シート２０は、伸縮性あるいは可撓性を有する樹脂製フィルム、例えばポリエチレンフィルム、ポリエステルフィルム、ポリカーボネートフィルム、ポリイミドフィルム等とすればよい。
【００２５】
着色層２１はスクリーン印刷によってシート２０上に印刷して形成する。その際にインクを厚く印刷することが本発明のポイントである。それにより完成品の装飾体１において裏面１ｂに転写された着色層１１、１２、１３、１４の膜厚が厚くなる。膜厚の厚さは軽度の接触では裏地が露出するような傷がつかない程度とする。通常は着色層の上にインクを守る保護層を形成するが、裏面１ｂに形成されることもあり、膜厚を充分厚くすれば着色層１１、１２、１３、１４のうえからインクを保護する保護層をコーティングする必要がなくなる。したがって、作業工程の簡素化やコスト抑制が実現できる。
【００２６】
具体的にインクの膜厚は、例えば通常グラビア印刷で可能な膜圧（１μｍ程度）よりも厚くスクリーン印刷ならば可能な膜厚、例えば５μｍ以上とすればよい。
【００２７】
スクリーン印刷の方法は公知の方法でよい。すなわち水平に配置されたシート２０の上に、印刷パターンが形成されたスクリーンを配置し、そのスクリーン上にペースト状態のインクを盛る。そしてスクリーン上でスキージによってペーストを引き伸ばしつつシート２０に押し付ける。これにより、印刷パターンの領域内のみでインクがシート２０に塗布（印刷）される。
【００２８】
着色層２１を複数色の図柄として形成する場合は、色ごとにスクリーンを交換して色の数だけスクリーン印刷を繰り返す。図１の例で複数色を用いる場合、着色層１１、１２、１３、１４がさらに各色ごとの領域に分割されることとなる。そして各色ごとの印刷領域を印刷パターンとする複数枚のスクリーンを用いる。接着剤層２２は、着色層２１のさらに上に着色層２１と同一領域に、スクリーン印刷により印刷して形成する。
【００２９】
なおオフセット印刷でも上記のようにインクの膜厚を厚くすることは可能なので、上記でスクリーン印刷をオフセット印刷に変更してもよい。なおインクは公知のものを用いればよく、例えばアクリル用インクや、ポリカーボネート用インク、ポリプロピレン用インク等を用いればよい。
【００３０】
図３には熱転写（ホットスタンプ）の様子が示されている。熱転写の工程では、まず基材１０を治具４に固定し、さらに上述の転写シート２を、着色層２１及び接着剤層２２を基材１０の裏面１ｂに対向するようにホルダ４０に固定する。その際、着色層２１の位置が基材１０の裏面１ｂの望ましい位置にくるように位置決めする。
【００３１】
次に図示上方に配置された押圧パッド３に、図示しない電力源から電力を供給して昇温する。そして充分に昇温した押圧パッド３を図示しない移動機構により上下させて、図示上方から転写シート２を基材１０の裏面１ｂに押圧する。これにより接着剤層２２が加熱、圧着されて裏面１ｂと接着することで、着色層２１が転写シート２側から基材１０側へ移動する。こうして着色層２１及び接着剤層２２が基材１０の裏面１ｂに熱転写される。
【００３２】
その際、転写シート２の伸縮性あるいは可撓性を利用し、さらに押圧パッド３の押圧面の曲率が基材１０の裏面１ｂの曲率よりも大きく設定されているので、湾曲した裏面１ｂの凹部１５以外の領域に隙間無く転写シート２を押圧することができる。したがって湾曲した裏面１ｂに対しても高精度な熱転写が行える。
【００３３】
図４には熱転写を含めた装飾体１の製造工程が示されている。この工程ではまず手順Ｓ１０で基材１０を成形する。具体的には例えば射出成形とすればよい。基材１０を有色透明とする場合は顔料を混入して成形すればよい。
【００３４】
次にＳ２０でシート２０に図柄を印刷する。すなわち図２のように着色層２１をスクリーン印刷あるいはオフセット印刷によりシート２０上に形成する。次にＳ３０でシート２０に接着剤層２２を印刷する。すなわち図２のように着色層２１のうえに接着剤層２２をスクリーン印刷あるいはオフセット印刷により形成する。最後にＳ４０で着色層２１及び接着剤層２２を図３のように基材１０へ熱転写する。なお図１では接着剤層２２が省略されているとすればよい。
【００３５】
以上の手順により装飾体１が作成される。完成した装飾体１は、裏面１ｂ側が例えば自動車の車体など各種製品の表面に装着、固定、当接される。そして透明の基材１０を透過して裏面１ｂ側の着色層１１、１２、１３、１４がユーザによって視認される。これによりその製品の装飾性が向上する。
【００３６】
図４の製造手順では、上述のとおり基材１０へ熱転写した後に保護層を設ける工程はない。したがって工程の簡素化や低コスト化が実現できている。上述の通り着色層１１、１２、１３、１４は接触による傷で裏地が露出する可能性は低いように膜厚が厚く形成されており、さらに裏面１ｂは製品への装着後は接触を受ける側ではないので、保護層がなくとも着色層１１、１２、１３、１４が損傷して装飾性が低下する可能性は低い。
【００３７】
次に実施例２を説明する。実施例２においては、実施例１では装飾体１の裏面１ｂに着色層が形成されていたのに対して、装飾体の表面に着色層を形成する。図５に、実施例２における装飾体１’が示されている。図５（ａ）は装飾体１’の正面図、図５（ｂ）は（ａ）のＺ−Ｚ断面図である。
【００３８】
装飾体１’は、表面側に湾曲、膨出した楕円板形状の基材１０’を備える。基材１０’の外面は、表面１ａ’、裏面１ｂ’の２つの主表面を含む。基材１０’の表面１ａ’には、着色層１１’、１２’、１３’、１４’（あるいは着色領域）により図柄が形成されており、それ以外の部分は非着色領域１５’である。
【００３９】
着色層１１’、１２’、１３’、１４’は基材１０’の表面に形成されたインク（あるいは塗料）の層（あるいは膜）である。装飾体１’では、着色層１１’、１２’、１３’、１４’は同一の凸曲面を形成している。基材１０’の材質は基材１０と同様でよい。ただし基材１０’は透明材料でもよく、不透明材料でもよい。
【００４０】
装飾体１’の着色層１１’、１２’、１３’、１４’は熱転写により形成される。それに用いられる転写シート２’が図６に示されている。図６（ａ）は転写シート２’の斜視図、図６（ｂ）はそのＷ−Ｗ断面図である。転写シート２’では、平板のシート（あるいはフィルム）２０’上に、保護層２３が、さらにその上に着色層２１’、接着剤層２２’（あるいは粘着材層）が形成されている。
【００４１】
保護層２３の材質は、例えばポリマーを含有して被膜形成性能を有する無色透明インクとすればよい。図６では、保護層２３が形成される領域は基材１０’の表面１ａ’全体を覆う領域とされているが、これに限らず着色層１１’、１２’、１３’、１４’の領域を覆うように形成されていればインク保護の機能を達成する。
【００４２】
着色層２１’、及び接着剤層２２’は、図１における着色層１１’、１２’、１３’、１４’と同一形状に形成されている。シート２０’の材質はシート２０と同様でよい。図６の保護層２３が基材１０’に熱転写されて、図５の保護層１６となる。図６の着色層２１’が基材１０’に熱転写されて、図５の着色層１１’、１２’、１３’、１４’となる。図５では接着材層２２’は省略されているとすればよい。図５等での各層の膜厚は誇張して図示してある。
【００４３】
着色層２１’はスクリーン印刷によってシート２０’上に印刷して形成する。その際に実施例１の着色層２１と同様にインクを厚く印刷する。具体的にインクの膜厚は、例えば通常グラビア印刷で可能な膜圧（１μｍ程度）よりも厚くスクリーン印刷ならば可能な膜厚、例えば５μｍ以上とすればよい。スクリーン印刷の方法は上述の公知の方法でよい。
【００４４】
着色層２１’を複数色の図柄として形成する場合は、色ごとにスクリーンを交換して色の数だけスクリーン印刷を繰り返す。図５の例で複数色を用いる場合、着色層１１’、１２’、１３’、１４’がさらに各色ごとの領域に分割されることとなる。そして各色ごとの印刷領域を印刷パターンとする複数枚のスクリーンを用いる。接着剤層２２’は、着色層２１’のさらに上に着色層２１’と同一領域に、スクリーン印刷により印刷して形成する。
【００４５】
なおオフセット印刷でも上記のようにインクの膜厚を厚くすることは可能なので、上記でスクリーン印刷をオフセット印刷に変更してもよい。なおインクは上述の公知のものを用いればよい。
【００４６】
図７には実施例２における熱転写（ホットスタンプ）の様子が示されている。熱転写の工程では、まず基材１０’を治具４’に固定し、さらに上述の転写シート２’を、保護層２３、着色層２１’、接着剤層２２’を基材１０’の表面１ａ’に対向するようにホルダ４０に固定する。その際、着色層２１’の位置が基材１０’の表面１ａ’の望ましい位置にくるように位置決めする。後の手順は実施例１と同様でよい。これにより保護層２３、着色層２１’接着剤層２２’が基材１０’の表面１ａ’に熱転写される。
【００４７】
図８には熱転写を含めた装飾体１’の製造工程が示されている。この工程は図４の手順に手順Ｓ１５を追加したのみである。それ以外は図４と同じなので説明を省略する。手順Ｓ１５ではシート２０’に保護層２３を印刷する。すなわち図６のように保護層２３をスクリーン印刷あるいはオフセット印刷によりシート２０’上に形成する。
【００４８】
図８の手順で完成した装飾体１’では、保護層１６によって着色層１１’、１２’、１３’、１４’が保護された上で、さらに着色層１１’、１２’、１３’、１４’はインクの膜厚が厚く形成されている。したがって着色層１１’、１２’、１３’、１４’が損傷して装飾性が低下する可能性が低減されている。
【００４９】
次に実施例２の変形例を説明する。この変形例では、保護層１６が着色層２１’接着剤層２２’とともに熱転写されるのではなく、着色層２１’接着剤層２２’のみが熱転写されて、その後に保護層１６が塗装工程によって形成される。以下で上述の実施例２からの変更部分を説明する。
【００５０】
まず図６の転写シート２’上に保護層２３を形成しない。そして図９の手順に従って装飾体１’を製造する。図９の製造工程は図４のそれに手順Ｓ４５を追加したのみである。それ以外は図４と同じなので説明を省略する。手順Ｓ４５では、着色層２１’が熱転写された後の基材１０’の表面１ａ’に保護層２３を塗布する。保護層２３の形成は、例えば無色透明の樹脂液や、ポリマーを含有して保護機能を有する無色透明のインク等をスプレー塗装すればよい。以上が実施例２の変形例である。なお実施例２（変形例を含めて）においても、膜厚の厚さから充分な耐性が確保できると判断される場合には、保護層２３を省略してもよい。この場合、製造工程の簡素化や低コスト化が実現できる。
【００５１】
上記各実施例、変形例では、装飾体１の形状や着色層の領域が図１、５に示されたように設計されたが、上記説明から明らかなように本発明の製造方法はこれらの形状に何ら限定を課さない。したがって装飾体１や着色層の形状は幾何学形状や文字形状等、任意の形状、図柄を採用することができる。
【符号の説明】
【００５２】
１、１’    装飾体
２、２’    転写シート
１０、１０’    基材
１１、１２、１３、１４、２１、１１’、１２’、１３’、１４’、２１’    着色層
２０、２０’    シート
２２、２２’    接着剤層
２３    保護層
【図１】
2011016298.tif 000003
【図２】
2011016298.tif 000004
【図３】
2011016298.tif 000005
【図４】
2011016298.tif 000006
【図５】
2011016298.tif 000007
【図６】
2011016298.tif 000008
【図７】
2011016298.tif 000009
【図８】
2011016298.tif 000010
【図９】
2011016298.tif 000011